(57)【特許請求の範囲】
【請求項１】
リール取付位置の前側に位置する筒状のフロントグリップであって、
竿本体の中心軸を中心とした断面円弧状の外周面を全長に亘って備え、
前後方向の第一の位置における断面円弧状の外周面の半径が最大となるように前端から第一の位置まで断面円弧状の外周面が拡径し、
左右両側部には、第一の位置よりも前側の第二の位置から少なくとも第一の位置まで、断面円弧状の外周面が所定のカット基準面によって平面状に削られたカット面がそれぞれ形成されていることを特徴とする釣竿のフロントグリップ。
【請求項２】
カット基準面の傾斜角度が異なる複数のカット面が左右両側部にそれぞれ形成されている請求項１記載の釣竿のフロントグリップ。
【請求項３】
竿本体の中心軸を含む上下方向の垂直面に対する、竿本体の中心軸周りのカット基準面の傾斜角度と、上下方向の軸線周りのカット基準面の傾斜角度のうち、少なくとも一方が、隣り合うカット面同士において互いに異なっている請求項２記載の釣竿のフロントグリップ。
【請求項４】
フロントグリップは、後部の下側の部分が切り欠かれることにより、外周面を全周に有する筒状のグリップ主部と、該グリップ主部から後側に延設され、全周のうち下側の所定角度範囲が欠如した後方延在部とを備え、
該後方延在部に前記第一の位置が存在し、且つ、後方延在部の左右両側部にカット面がそれぞれ形成されている請求項１乃至３の何れかに記載の釣竿のフロントグリップ。
【請求項５】
請求項１乃至４の何れかに記載のフロントグリップを備えた釣竿。
【発明の詳細な説明】
【技術分野】
【０００１】
本発明は、リール取付位置の前側に位置するフロントグリップとそれを備えた釣竿に関する。
【背景技術】
【０００２】
釣竿にリールを固定するためのリールシートとしては、筒状に形成されて竿本体に外装されるタイプのものがあり、パイプシートとも称されている。また、下記特許文献１所載のように、リール取付位置の前側にはホールド性を良好なものとするために筒状のフロントグリップが装着されることも多い。
【０００３】
このようなフロントグリップは、竿本体の中心軸を中心とした外周面を全長に亘って備えていて、その外周面は前端から後端に向けて徐々に拡径していく台錐形状とされている。即ち、フロントグリップの外径が前端から後端に向けて徐々に大きくなっていく。リールを下側に装着する構成を考えると、フロントグリップの外径が前端から後端に向けて徐々に大きくなっていることにより、フロントグリップの上面に対する手の密着性は良好なものとなりやすい。しかしながら、フロントグリップの左右方向の幅寸法も後側に向けて拡大しているので、把持する手の左右方向の開き具合が大きくなりやすく、強く把持する必要があった。
【先行技術文献】
【特許文献】
【０００４】
【特許文献１】特開２０１４−１２８２２４号公報
【発明の概要】
【発明が解決しようとする課題】
【０００５】
そこで本発明は、リールを取り付けて使用する釣竿のホールド性を向上させることができるフロントグリップ及び釣竿を提供することを課題としている。
【課題を解決するための手段】
【０００６】
本発明は上記課題を解決すべくなされたものであって、本発明に係る釣竿のフロントグリップは、リール取付位置の前側に位置する筒状のフロントグリップであって、竿本体の中心軸を中心とした断面円弧状の外周面を全長に亘って備え、前後方向の第一の位置における断面円弧状の外周面の半径が最大となるように前端から第一の位置まで断面円弧状の外周面が拡径し、左右両側部には、第一の位置よりも前側の第二の位置から少なくとも第一の位置まで、断面円弧状の外周面が所定のカット基準面によって平面状に削られたカット面がそれぞれ形成されていることを特徴とする。尚、前側は竿先側、後側は竿元側であり、前後方向は竿本体の中心軸方向（軸線方向）である。また、リールを下向きとした場合、上側から見た平面視において竿本体の中心軸方向と直交する方向を左右方向とする。
【０００７】
該構成のフロントグリップを装着した釣竿を把持すると、前端から第一の位置まで断面円弧状の外周面が拡径しているので、フロントグリップの上面や下面が前端から第一の位置に向けて膨出した形状となる。従って、例えばリールを下側に取り付ける構成では、フロントグリップの上面が膨出形状となるので、その上面への手の密着性が良好なものとなる。一方、フロントグリップの左右両側部にはそれぞれカット面が形成されているので、フロントグリップの左右方向の太さは上下方向の寸法に比して拡大せずに抑制されている。従って、把持する手の左右方向の開き具合も大きくなりにくく、軽い力で把持することができる。
【０００８】
特に、カット基準面の傾斜角度が異なる複数のカット面が左右両側部にそれぞれ形成されていることが好ましい。該構成によれば、単一のカット面を左右両側部にそれぞれ形成する構成に比して、左右方向の太さをスムーズに細くすることができる。
【０００９】
更に、竿本体の中心軸を含む上下方向の垂直面に対する、竿本体の中心軸周りのカット基準面の傾斜角度と、上下方向の軸線周りのカット基準面の傾斜角度のうち、少なくとも一方が、隣り合うカット面同士において互いに異なっていることが好ましい。該構成によれば、左右方向の太さをより一層スムーズに細くすることができる。
【００１０】
また、スピニングリールは、通常、釣竿の下側に取り付けられる。そのようにスピニングリールを取り付けて使用される釣竿に装着されるフロントグリップにおいては、後方延在部を設けることが好ましい。即ち、フロントグリップは、後部の下側の部分が切り欠かれることにより、外周面を全周に有する筒状のグリップ主部と、該グリップ主部から後側に延設され、全周のうち下側の所定角度範囲が欠如した後方延在部とを備え、該後方延在部に前記第一の位置が存在し、且つ、後方延在部の左右両側部にカット面がそれぞれ形成されていることが好ましい。該構成によれば、リール脚を取り付けるためのリール脚載置面を有するリールシート本体の外側即ち上側にフロントグリップの後方延在部を位置させることができる。従って、その後方延在部に手が当接するので、より一層良好なホールド性が得られる。しかも、その後方延在部の左右両側部にカット面が形成されているので、断面円弧状の外周面の最大半径の部分である第一の位置が後方延在部に存在していても、後方延在部の左右方向の太さを細くすることができ、把持する手の左右方向の開きを抑制することができて、軽い力で釣竿を保持できる。
【００１１】
また、本発明に係る釣竿は上記フロントグリップを備えたものである。
【発明の効果】
【００１２】
以上のように、上下方向の寸法については断面円弧状の外周面によって膨出形状が確保され、左右方向の寸法については左右両側部のカット面によって抑制されているので、ホールド性が向上して軽い力で釣竿を把持することができ、長時間釣りをしても疲れにくくなる。
【図面の簡単な説明】
【００１３】
【図１】本発明の一実施形態におけるフロントグリップを備えたスピニングリール用の筒状リールシートを示す正面図。
【図２】同筒状リールシートの平面図。
【図３】同筒状リールシートの底面図。
【図４】図１のＰ−Ｐ端面図。
【図５】同フロントグリップを示し、（ａ）は平面図、（ｂ）は正面図。
【図６】同フロントグリップの一製造工程を示す模式図であって、（ａ）は正面図、（ｂ）は底面図。
【図７】同フロントグリップの一製造工程を示す模式図であって、（ａ）は正面図、（ｂ）は底面図。
【図８】図７の製造工程を後側から見た模式図。
【図９】同フロントグリップの一製造工程を示す模式図であって、（ａ）は正面図、（ｂ）は底面図。
【図１０】図９の製造工程を後側から見た模式図。
【図１１】同筒状リールシートを備えた釣竿の使用状態を示す要部正面図。
【図１２】同釣竿の使用状態を示す底面図。
【図１３】比較例としての釣竿の使用状態を示す要部正面図。
【発明を実施するための形態】
【００１４】
以下、本発明の一実施形態に係るフロントグリップとそれを備えたスピニングリール用の筒状リールシート並びにその筒状リールシートが装着された釣竿について図１乃至図１２を参酌しつつ説明する。本実施形態における筒状リールシート（以下、単に「リールシート」という。）は、釣竿にスピニングリール（以下、単に「リール」という。）を固定するためのものである。該リールシートは、いわゆるパイプシートと称される全体として筒状のものであって釣竿の竿本体１（ブランク）に外装されて所定位置に移動不能に固定される。即ち、リールシートは軸線方向（竿本体１の中心軸１ａの方向）に沿って貫通した貫通孔を有しており、該貫通孔に竿本体１が挿通されて、竿本体１の外周面に接着等により固定される。使用状態ではリールが釣竿の下側に位置する。図１では、リール脚２が載置されるリール脚載置面１０を使用状態に即して下向きとして図示している。リール脚２は、図示しないリール本体から一本脚状に延びる脚主部３と、該脚主部３の先端部である足首部４から前後両側に延びる取付脚部５とを備えて、全体としてＴ字状に形成されている。
【００１５】
リールシートは、図２及び図３にも示しているように、竿本体１に移動不能に外装される筒状の本体部と、該本体部の後部に前後方向に移動可能に外装された筒状の可動フード体８と、該可動フード体８の後側に位置して可動フード体８を前後に移動させる筒状のナット９とを備えている。本体部は、硬質の合成樹脂からなる筒状のリールシート本体７と、該リールシート本体７の前側に位置し、リールシート本体７よりも軟質の材質、例えばＥＶＡやコルクからリールシート本体７とは別体にて形成されたフロントグリップ６とから構成されている。尚、図面においてフロントグリップ６には、多数のドットを付して示している。
【００１６】
リールシート本体７は、硬質の合成樹脂から成形により形成され、前後方向に沿って貫通孔７０（図４参照）を有しており、該貫通孔７０の壁面が竿本体１に接着等により固定される。尚、竿本体１に筒状のスペーサを介してリールシート本体７を接着してもよい。リールシート本体７は、外周面が異形断面となった本体主部７２と、該本体主部７２の前側に形成され、外周面が貫通孔７０に対して同心円状の円形断面となった前方円筒部７１（図１参照）と、本体主部７２の後側に形成され、外周面が貫通孔７０に対して同心円状の円形断面となった後方円筒部７３とから構成されている。
【００１７】
本体主部７２の下面に、リール脚２の取付脚部５が載置されるリール脚載置面１０が形成されている。該リール脚載置面１０は、リールを取り付けるためのリール取付位置である。本体主部７２の前部には固定フード部７４が一体的に形成されている。該固定フード部７４は、リール脚載置面１０の前側に位置していて、後側に向けて開口する開口部７４ａを有しており、該固定フード部７４に、リール脚２の取付脚部５の前端部、即ち、前側の脚先部５ａが挿入される。また、本体主部７２の左右両側面にはそれぞれ貫通孔７０に連通した窓部７５が形成されている。該窓部７５はリール脚載置面１０の左右両側に位置しており、該窓部７５を介して竿本体１の外周面が部分的に外部に露出するため、窓部７５を介して竿本体１を直接指先等で触れることができる。
【００１８】
固定フード部７４よりも前側に前方円筒部７１が形成されている。前方円筒部７１は、本体主部７２の前側に径方向内側への段差を介して延設されており、該前方円筒部７１の外周面にフロントグリップ６の後部が外装され固定される。尚、本体主部７２と前方円筒部７１との間の境界部７７は、前後方向に対して直交しておらず、前後方向に対して斜め方向に沿っている。即ち、境界部７７は、下面から上面に向けて斜め後方に傾斜して延びていて、その後端は本体主部７２の後端近傍に位置している。即ち、境界部７７は、本体主部７２の略全長に亘って斜めに傾斜して延びている。
【００１９】
後方円筒部７３は、本体主部７２の後側に段差なく滑らかな曲線を描きつつ延設されている。該後方円筒部７３に可動フード体８とナット９が移動可能に外装される。従って、後方円筒部７３の外周面には、その後端から前端近傍までの大部分に亘って雄ネジ部７６が形成されており、該雄ネジ部７６にナット９が螺合する。
【００２０】
可動フード体８は、全体として筒状であってリールシート本体７の後方円筒部７３に後側から装着される。可動フード体８の前端部にはリール脚２の取付脚部５の後端部、即ち、後側の脚先部５ｂが挿入される可動フード部８０が形成されている。具体的には、その前端部の周方向の下部が径方向外側に局部的に膨出形成されており、その膨出部から可動フード部８０が構成され、可動フード部８０とリールシート本体７との間にリール脚２の後側の脚先部５ｂが挿入される。可動フード部８０は、リールシート本体７のリール脚載置面１０の後側に位置していて固定フード部７４と対向しており、固定フード部７４と共にリール脚２の取付脚部５を前後に狭持してリール脚２を固定する。
【００２１】
尚、可動フード体８の前端面は、前後方向に対して直交しておらず、前端面のうち竿本体１の中心軸１ａよりも上側半分の領域８１ａについては上側に向けて後方傾斜の形状とされ、前端面のうち竿本体１の中心軸１ａよりも下側半分の領域８１ｂについては下側に向けて後方傾斜の形状とされている。尚、竿本体１の中心軸１ａを直交して横断する横断面に対する、前端面の上側半分の領域８１ａの傾斜角度と、前端面の下側半分の領域８１ｂの傾斜角度とを比較すると、前者が後者に比して大きい。
【００２２】
可動フード体８は、ステンレスやアルミニウム合金等の金属製やＡＢＳ等の硬質樹脂製、あるいは、カーボン繊維等を強化繊維とする繊維強化樹脂製であって、その厚さは例えば０．３ｍｍ〜１．５ｍｍである。尚、可動フード体８を金属製や繊維強化樹脂製とする場合には、可動フード部８０の内側に合成樹脂製の当て部材８２を装着しておくことが好ましく、リール脚２を保持する際のガタツキを防止できると共にリール脚２の傷付きも防止できる。
【００２３】
次に、本体部の形状及びフロントグリップ６の形状について説明する。まず本体部の形状について説明すると、本体部は、その上面のうちリール脚載置面１０とは径方向反対側の部分が径方向外側に向けて膨出している。最も径方向外側に膨出している部分を膨出ピーク部１１と称することにする。膨出ピーク部１１の位置が第一の位置である。また、リールシートにリールを取り付けた際、そのリール脚２の足首部４に対応したその径方向反対側の位置を足首対応位置と称することにすると、本体部の膨出ピーク部１１は、足首対応位置あるいは足首対応位置よりも後側の位置に存在している。本体部の上面は、その前端から膨出ピーク部１１まで後側に向けて上り勾配であり、膨出ピーク部１１からリールシート本体７の本体主部７２の後端まで後側に向けて下り勾配となっている。本体部の上面における膨出ピーク部１１よりも前側の勾配は相対的に小さく緩やかであり、それに対して本体部の上面における膨出ピーク部１１よりも後側の勾配は相対的に大きく急である。
【００２４】
また、本体部を上側からあるいは下側から見た時の左右方向の太さは、固定フード部７４の開口部７４ａの位置よりも膨出ピーク部１１の位置の方が細くなっている。本体部の左右方向の太さは、固定フード部７４の開口部７４ａの位置よりも所定長さ前側の位置で最大となっており、本体部は前端から固定フード部７４の開口部７４ａの位置よりも所定長さ前側の位置までは後側に向けてテーパ状に太くなっており、そこから後側に向けては逆に逆テーパ状に細くなっている。この逆テーパ状の領域は、少なくとも固定フード部７４の開口部７４ａの位置から膨出ピーク部１１の位置まで形成されており、本実施形態では、固定フード部７４の開口部７４ａの位置よりも所定長さ前側の位置から、膨出ピーク部１１を後側に所定長さ越えた位置まで形成されている。逆テーパ形状の領域は本体主部７２の後端まで延びていてもよいが、本体主部７２の後端よりも若干前側の位置で終了してそこから本体主部７２の後端まで略一定の太さとなっていることが好ましい。
【００２５】
フロントグリップ６は、図５に示しているように、竿本体１の中心軸１ａを中心とする貫通孔６０を有した筒状である。貫通孔６０は、前側の部分６０ａと後側の部分６０ｂとに区画され、前側の部分６０ａは小径であり、後側の部分６０ｂは大径である。貫通孔６０の前側の部分６０ａの壁面は竿本体１の外周面に接着され、貫通孔６０の後側の部分６０ｂの壁面はリールシート本体７の前方円筒部７１の外周面に接着される。尚、貫通孔６０の前側の部分６０ａと後側の部分６０ｂとの間に形成された径方向の段差部に、リールシート本体７の前端面即ち前方円筒部７１の前端面が当接する。
【００２６】
フロントグリップ６は、後部の下側の部分が切り欠かれた形状となっている。この切欠形状によってフロントグリップ６は、主として二つの領域に分かれる。即ち、フロントグリップ６は、前側に位置する筒状のグリップ主部６１と、該グリップ主部６１から後側に延設され、全周のうち下側の所定角度範囲が欠如した後方延在部６２とから構成される。フロントグリップ６の下側の切り欠き形状は後側に向けて徐々に大きくなっていて徐々に上側まで切り欠くようになっている。従って、切り欠かれずに残った後方延在部６２の残存角度範囲は、後側に向けて徐々に小さくなっていく。このように後方延在部６２は、下から上に向けて斜め後方に傾斜して延びていて、上述したリールシート本体７における本体主部７２と前方円筒部７１との間の境界部７７の形状と略一致していて、フロントグリップ６の外周面とリールシート本体７の本体主部７２の外周面とは略面一となっている。
【００２７】
また、リールシート本体７のリール脚載置面１０とは径方向反対側の部分の外側にフロントグリップ６の後方延在部６２が位置する。そして、膨出ピーク部１１はフロントグリップ６の後方延在部６２に位置している。フロントグリップ６の後方延在部６２は、膨出ピーク部１１を後側に所定長さ越えて延びており、従って、本体部の膨出形状の大部分はフロントグリップ６により形成され、特にはその後方延在部６２の上面により形成される。尚、フロントグリップ６の上面は、グリップ主部６１から後方延在部６２にかけて連続している。
【００２８】
リールシート本体７の本体主部７２の左右方向の幅は固定フード部７４の開口部７４ａの位置から前側に向けて徐々に狭くなっており、本体部において左右方向の太さが最大となっている位置は、フロントグリップ６にあってその位置はグリップ主部６１の後端即ち後方延在部６２の前端の近傍にあり、その位置が第二の位置である。フロントグリップ６はそこから後側に向けて逆テーパ状に左右方向の太さが細くなっている。尚、フロントグリップ６の左右方向の太さとリールシート本体７の左右方向の太さを比較すると、膨出ピーク部１１の近傍よりも前側においてはフロントグリップ６の方が太く、膨出ピーク部１１の近傍よりも後側においては逆にリールシート本体７の方が太くなっている。
【００２９】
フロントグリップ６は、竿本体１の中心軸１ａを中心とした断面円弧状の外周面６３（図４参照）を全長に亘って備えている。尚、図４において断面円弧状の外周面６３の全周のうち切り欠かれて欠如している部分を二点鎖線で示している。この断面円弧状の外周面６３がグリップ主部６１から後方延在部６２にかけて拡径することにより後方延在部６２に膨出ピーク部１１が形成されている。即ち、フロントグリップ６の断面円弧状の外周面６３における竿本体１の中心軸１ａを中心した円又は円弧の半径が、フロントグリップ６の前端から膨出ピーク部１１まで徐々に大きくなっており、膨出ピーク部１１において最大となり、膨出ピーク部１１から後端までは逆に徐々に小さくなっている。このように竿本体１の中心軸１ａを中心としたフロントグリップ６の断面円弧状の外周面６３によって本体部の膨出形状が形成されている。
【００３０】
そして、フロントグリップ６における左右方向の太さの逆テーパ形状は、竿本体１の中心軸１ａを中心としたフロントグリップ６の断面円弧状の外周面６３が左右両側部において平面状に削られることにより形成されている。即ち、フロントグリップ６の後方延在部６２の左右両側部には、竿本体１の中心軸１ａを中心とした断面円弧状の外周面６３が所定のカット基準面６５ａ，６５ｂ，６５ｃによって平面状に削られたカット面６４ａ，６４ｂ，６４ｃがそれぞれ左右対称に形成されており、該カット面６４ａ，６４ｂ，６４ｃが形成されることによってフロントグリップ６における左右方向の太さの逆テーパ形状が形成されている。
【００３１】
カット面６４ａ，６４ｂ，６４ｃは左右両側部にそれぞれ複数ずつ形成されており、また、後方延在部６２に全て形成されている。本実施形態では、左右両側部にそれぞれ三つのカット面６４ａ，６４ｂ，６４ｃが形成されている。三つのカット面６４ａ，６４ｂ，６４ｃは、そのカット基準面６５ａ，６５ｂ，６５ｃの傾斜角度が互いに異なっている。カット面６４ａ，６４ｂ，６４ｃを形成するためのカット基準面６５ａ，６５ｂ，６５ｃの傾斜角度について更に詳述すると、カット基準面６５ａ，６５ｂ，６５ｃの傾斜角度には、竿本体１の中心軸１ａを含む上下方向の垂直面（縦断面）を基準として、竿本体１の中心軸１ａ周りの傾斜角度Ａと上下方向の軸線周りの傾斜角度Ｂという二つの傾斜角度がある。以下、単に、竿本体１の中心軸１ａ周りの傾斜角度Ａ、及び、上下方向の軸線周りの傾斜角度Ｂという。隣り合うカット面６４ａ，６４ｂ，６４ｃ同士のカット基準面６５ａ，６５ｂ，６５ｃは、二つの傾斜角度Ａ，Ｂのうち少なくとも一方が異なっており、好ましくは両方が異なっている。尚、カット面６４ａ，６４ｂ，６４ｃの面積は種々であってよいが、例えば、前側から順に一番目である第一のカット面６４ａが最大で、二番目である第二のカット面６４ｂが第一のカット面６４ａよりも小さく、三番目である第三のカット面６４ｃが最小である。
【００３２】
これらのカット面６４ａ，６４ｂ，６４ｃの形成工程の概要についてカット基準面６５ａ，６５ｂ，６５ｃを仮想的に矩形に示しつつ説明する。カット面６４ａ，６４ｂ，６４ｃの形成工程を模式図として図６〜図１０に示しており、図中、クロスハッチングを施している部分が、各工程において形成されるカット面６４ａ，６４ｂ，６４ｃである。尚、図６〜図１０において貫通孔６０の図示は省略している。まず、図６のように第一のカット基準面６５ａによって第一のカット面６４ａを形成する。第一のカット基準面６５ａは、竿本体１の中心軸１ａ周りの傾斜角度Ａが０度であって上下方向の軸線周りの傾斜角度Ｂが図６（ｂ）のように例えば数度（１度〜１０度未満）である。尚、第一のカット基準面６５ａにおける竿本体１の中心軸１ａ周りの傾斜角度Ａが０度であることから、第一のカット面６４ａは図７（ａ）のように正面視において上下方向中央部に形成される。但し、第一のカット基準面６５ａにおける竿本体１の中心軸１ａ周りの傾斜角度Ａは０度には限られない。
【００３３】
次に、図７及び図８のように第二のカット面６４ｂを形成する。第二のカット基準面６５ｂは、竿本体１の中心軸１ａ周りの傾斜角度Ａが図８のように例えば１０度以上、具体的には２０度〜４０度であり、上下方向の軸線周りの傾斜角度Ｂが図７（ｂ）のように例えば数度（１度〜１０度未満）である。尚、第二のカット基準面６５ｂにおける竿本体１の中心軸１ａ周りの傾斜角度Ａは、第一のカット基準面６５ａのそれよりも大きいことが好ましい。また、第二のカット基準面６５ｂにおける上下方向の軸線周りの傾斜角度Ｂも、第一のカット基準面６５ａのそれよりも大きいことが好ましい。また、第二のカット面６４ｂは、第一のカット面６４ａの後側且つ上側に形成され、第一のカット面６４ａの後部上方領域を更に削るようにして形成される。尚、傾斜角度Ａは、竿本体１の中心軸１ａの方向に見た時、両カット基準面６５ａ、６５ｂ、６５ｃが上側に向けて互いに接近する方向をプラスとする。また、傾斜角度Ｂは、両カット基準面６５ａ、６５ｂ、６５ｃが平面視において後側に向けて互いに接近する方向をプラスとする。
【００３４】
更に、図９及び図１０のように、第三のカット面６４ｃを形成する。第三のカット基準面６５ｃは、竿本体１の中心軸１ａ周りの傾斜角度Ａが図１０のように例えば１０度以上、具体的には、２０度〜４０度であり、上下方向の軸線周りの傾斜角度Ｂが図９（ｂ）のように例えば数度から十数度（１度〜２０度未満）である。尚、第三のカット基準面６５ｃにおける竿本体１の中心軸１ａ周りの傾斜角度Ａは、第二のカット基準面６５ｂのそれとは異なっていることが好ましく、また、第三のカット基準面６５ｃにおける上下方向の軸線周りの傾斜角度Ｂは、第二のカット基準面６５ｂのそれよりも大きいことが好ましい。また、第三のカット面６４ｃは、第二のカット面６４ｂの後側且つ上側に形成され、第二のカット面６４ｂの後部を更に削るようにして形成される。このように、第一のカット面６４ａから第二のカット面６４ｂ、第三のカット面６４ｃへと徐々に後側且つ上側に形成箇所が推移していく。尚、断面円弧状の外周面６３は、竿本体１の中心軸１ａ回りにフロントグリップ６を回転させることで切削でき、また、カット面６４ａ，６４ｂ，６４ｃはフロントグリップ６を回転させずに固定した状態で切削できる。
【００３５】
以上のように構成されたリールシートは竿本体１に装着され、そのリールシートにリールが取り付けられて使用される。リールシートを把持すると、フロントグリップ６の前端から膨出ピーク部１１まで断面円弧状の外周面６３が拡径しているので、フロントグリップ６の上面は前端から膨出ピーク部１１に向けて上方に膨出した形状となる。従って、フロントグリップ６の上面への手の密着性が良好なものとなる。一方、左右両側部のカット面６４ａ，６４ｂ，６４ｃによってフロントグリップ６の左右方向の太さは拡大せずに細く抑制されている。従って、把持する手の左右方向の開き具合も大きくなりにくく、軽い力で把持することができる。このように、断面円弧状の外周面６３を拡径することによって膨出ピーク部１１を頂点とする上面の膨出形状が確保される一方、左右方向の寸法については左右両側部にカット面６４ａ，６４ｂ，６４ｃを形成することによって細く抑制している。従って、釣竿を把持した際のホールド性が向上して軽い力で釣竿を把持することができ、長時間釣りをしても疲れにくい。
【００３６】
更に種々の持ち方のうち、釣竿の前後の揺動を抑制することに適した持ち方でリールシートを把持した場合について説明する。図１１及び図１２に示しているように、中指と薬指の間にリール脚２の足首部４を位置させて、フロントグリップ６の前部上面を人差し指の指先で上方から押さえつけ、中指の第二関節付近と親指とでリール脚２よりも前側の部分であるリールシートの前部を左右に挟み込み、中指の指先と薬指と小指でリール脚２の取付脚部５やリールシートの下面を下側から押さえてリールシートの上面を手のひらに押し付けるようにすると共に、母指球と小指球とであるいは母指球と薬指及び小指の付け根の関節部分とでリール脚２よりも後側の部分であるリールシートの後部を左右に挟み込むようにする。このように把持すると、手首を伸ばした状態で把持することができて手首を固定しやすく、従って、釣竿の前後の揺動を抑制しやすい。より詳細には、人差し指の指先は、フロントグリップ６の前端近傍に位置し、中指の第二関節付近と親指で固定フード部７４の開口部７４ａ近傍の左右両側部を左右に挟み込む。このように把持すると釣竿の前後の揺動を容易に抑制することができる。
【００３７】
例えば、シーバスフィッシング等のルアーフィッシングにおいては、ロッドアクションを加えない場合、釣竿の特に竿先が前後に揺動しないように注意しながらリールを回転させてルアーをリトリーブすることが重要になる。リトリーブ時に釣竿の竿先が前後に揺動すると、ルアー自体のアクションが釣竿の前後の動きによって吸収緩和されることになり、きびきびとしたルアー本来のアクションが発生しにくくなるためである。従って、リトリーブ時にはリールシートを把持する手の手首をしっかりと固定して釣竿が前後に揺動しないように注意する必要がある。それと同時に釣竿を持つ持ち方にも工夫が必要であり、上述したような釣竿の前後の動きを極力小さく抑えることができる持ち方が推奨される。
【００３８】
このような持ち方で釣竿を把持した場合、リールシートの膨出ピーク部１１が足首対応位置あるいは足首対応位置よりも若干後側に位置しているので、人差し指の付け根の関節部分１００がリールシートの上面に密着しやすくなり、手首を楽に固定することができ、手首への負担が軽減される。比較例として図１３にリールシートの上面に膨出形状が形成されていない場合を示している。この図１３に示しているフロントグリップ６は断面円弧状の外周面６３が径略一定のストレート形状となっている。この図１３のようにリールシートが膨出形状のないストレート形状であると、人差し指の付け根の関節部分１００とリールシートの上面との間に大きな空間が生じることになり、リールシートの上面には人差し指の指先と手のひらの手首近傍の部分の二点で接触することになって、手首を固定するために強く力を入れる必要があり、手首への負担が大きい。
【００３９】
また、リールシートがストレート形状ではなくても、例えば、膨出ピーク部１１が足首対応位置よりも前側に位置している場合であっても同様に手首への負担が大きい。即ち、人差し指の指先でリールシートを押さえつけようとすると、人差し指は、指先と付け根の関節部分において低くなり、その間の第二関節部分において高くなりやすい。従って、膨出ピーク部１１が足首対応位置よりも前側に位置していると、その膨出ピーク部１１は人差し指の第二関節付近に位置するため、膨出ピーク部１１を設けても人差し指には接触しにくい。また、人差し指の付け根の関節部分１００がリールシートの上面に接触すると安定しやすいが、膨出ピーク部１１が足首対応位置よりも前側に位置していると、人差し指の付け根の関節部分１００がリールシートの上面から浮き上がりやすくなるため、やはり手首に力が入りやすい。このように膨出ピーク部１１が足首対応位置よりも前側に位置している構成であっても手首への負担が大きいのである。それに対して、本実施形態のリールシートにあってはリールシートの膨出ピーク部１１が足首対応位置あるいはそれよりも若干後側に位置しているので、人差し指の付け根の関節部分１００がリールシートの上面に密着しやすくなり、手首を楽に固定することができて手首への負担が軽減されるのである。
【００４０】
また、フロントグリップ６の膨出ピーク部１１よりも後側の勾配が膨出ピーク部１１よりも前側の勾配よりも急になっているので、本体部の膨出ピーク部１１よりも後側の部分を容易に小径化でき、可動フード体８を含めたリールシートの後部の全体の外径を抑制することができる。従って、より一層把持しやすくなる。更に、フロントグリップ６の後方延在部６２に膨出ピーク部１１が形成されているので、人差し指の付け根の関節部分１００が軟質のフロントグリップ６の後方延在部６２に密着することになって、より一層良好なホールド性が得られ、より一層楽に把持できて手首の負担もより一層軽減される。
【００４１】
また、本体部の左右方向の太さを固定フード部７４の開口部７４ａの位置から膨出ピーク部１１の位置にかけて後側に向けて逆テーパ状に細くしていて、固定フード部７４の開口部７４ａの位置よりも膨出ピーク部１１の位置の方が細くなっているので、図１２のように手のひらの左右の開きが小さくなり、手首をより一層楽に固定することができる。更に、本体部の左右方向の太さが固定フード部７４の開口部７４ａよりも前側の位置で最大となっていてそこから後側に向けて逆テーパ状に形成されているので、手のひらの開きがより一層小さくなって手首への負担がより一層軽減される。また更に、逆テーパ状の領域が膨出ピーク部１１よりも更に後側まで延びているので、手のひらの特に母指球と小指球との間の開きが小さくなり、手首への負担がより一層軽減される。
【００４２】
特に、フロントグリップ６が竿本体１の中心軸１ａを中心とした断面円弧状の外周面６３を全長に亘って備えていて、その断面円弧状の外周面６３の半径が前端から膨出ピーク部１１まで拡大しているので、後方延在部６２に容易に膨出ピーク部１１を形成することができる。しかも、後方延在部６２の左右両側部にカット面６４ａ，６４ｂ，６４ｃが形成されているので、そのカット面６４ａ，６４ｂ，６４ｃによって左右方向の太さを容易に細くすることができ、逆テーパ形状にも容易に形成できる。即ち、膨出ピーク部１１に向かって膨出していく上面の膨出形状を確保しつつ左右方向の太さを容易に細くすることができる。また、カット基準面６５ａ，６５ｂ，６５ｃの傾斜角度Ａや傾斜角度Ｂが異なる複数のカット面６４ａ，６４ｂ，６４ｃが形成されているので、単一のカット面６４ａ，６４ｂ，６４ｃが形成されている場合に比して、左右方向の太さをスムーズに細くすることができる。特に、カット基準面６５ａ，６５ｂ，６５ｃの竿本体１の中心軸１ａ周りの傾斜角度Ａと上下方向の軸線周りの傾斜角度Ｂのうち、少なくとも一方が隣り合うカット面６４ａ，６４ｂ，６４ｃ同士の間で互いに異なっていると、より一層スムーズに細くすることができ、傾斜角度Ａと傾斜角度Ｂの両方が異なっていると更にスムーズに細くすることができる。
【００４３】
尚、本実施形態では、後方延在部６２の左右両側部にカット面６４ａ，６４ｂ，６４ｃを形成することによってその左右方向の幅を前後方向の中途部（第二の位置）から後側に向けて逆テーパ状に細くしたが、逆テーパ状に細くするのではなく、前後方向の中途部から後側に向けて幅略一定のストレート形状としてもよい。その場合においても左右両側部にカット面を形成することによって後方延在部６２の左右方向の幅を細くすることができる。後方延在部６２の左右方向の幅をストレート形状、即ち略一定とする場合、カット基準面の上下方向の軸線周りの傾斜角度Ｂは０度とする。そのように、カット基準面が平面視において竿本体１の中心軸１ａと平行であっても、フロントグリップ６の上面については断面円弧状の外周面６３が前端から所定位置（第一の位置）まで後側に向けて拡径していってその所定位置において最大半径となるので、上面の膨出形状は確保される一方、左右方向の幅は抑制できる。また更に、カット基準面の上下方向の軸線周りの傾斜角度Ｂが若干（例えば１度程度）マイナスであってもよい。その場合、カット面を形成しても、逆テーパ形状にはならず後側に向けて左右方向の幅が若干太くなっていくが、断面円弧状の外周面６３の拡径率よりも小さいものであれば、上面の膨出形状を維持しつつ、左右方向の幅が後側に向けて大きく拡大することを抑制できる。
【００４４】
尚、後方延在部６２を形成せずに全体を筒状のグリップ主部６１から構成してもよい。
【符号の説明】
【００４５】
１    竿本体
１ａ  中心軸
２    リール脚
３    脚主部
４    足首部
５    取付脚部
５ａ  前側の脚先部
５ｂ  後側の脚先部
６    フロントグリップ
７    リールシート本体
８    可動フード体
９    ナット
１０    リール脚載置面
１１    膨出ピーク部
６０    貫通孔
６０ａ  前側の部分
６０ｂ  後側の部分
６１    グリップ主部
６２    後方延在部
６３    断面円弧状の外周面
６４ａ  第一のカット面
６４ｂ  第二のカット面
６４ｃ  第三のカット面
６５ａ  第一のカット基準面
６５ｂ  第二のカット基準面
６５ｃ  第三のカット基準面
７０    貫通孔
７１    前方円筒部
７２    本体主部
７３    後方円筒部
７４    固定フード部
７４ａ  開口部
７５    窓部
７６    雄ネジ部
７７    境界部
８０    可動フード部
８１ａ  上側半分の領域
８１ｂ  下側半分の領域
８２    当て部材
１００  人差し指の付け根の関節部分
Ａ    竿本体の中心軸周りの傾斜角度
Ｂ    上下方向の軸線周りの傾斜角度
【図１】
0006420625.tif 000002
【図２】
0006420625.tif 000003
【図３】
0006420625.tif 000004
【図４】
0006420625.tif 000005
【図５】
0006420625.tif 000006
【図６】
0006420625.tif 000007
【図７】
0006420625.tif 000008
【図８】
0006420625.tif 000009
【図９】
0006420625.tif 000010
【図１０】
0006420625.tif 000011
【図１１】
0006420625.tif 000012
【図１２】
0006420625.tif 000013
【図１３】
0006420625.tif 000014